(57)【特許請求の範囲】
【請求項１】
Ａ側配管と、Ｂ側配管とを有し、
上記Ａ側配管には、上記Ｂ側配管と接続しうる雌側管状部が設けられ、
上記雌側管状部には、内方に形成されたＡ側接続口と、上記Ａ側接続口に設けられた継ぎ用弁座部とを有し、上記Ａ側接続口を開閉しうるＡ側弁体が設けられ、
上記Ｂ側配管には、上記雌側管状部と接続しうる雄側管状部が設けられ、
上記雄側管状部には、内方に形成されたＢ側接続口と、上記Ｂ側接続口に設けられた継ぎ用弁体部とを有し、上記Ｂ側接続口を開閉しうるＢ側弁体が設けられ、
上記雄側管状部が上記雌側管状部に挿入された状態において、上記継ぎ用弁体部と上記継ぎ用弁座部とが当接して着座状態を形成し、
上記雄側管状部が上記雌側管状部に挿入された状態において、上記継ぎ用弁体部と上記継ぎ用弁座部とが離間して離座状態を形成し、
上記着座状態の場合には、上記継ぎ用弁体部と上記継ぎ用弁座部の当接部位の外周に、シール料を供給・排出すると共に、
上記離座状態の場合には、上記継ぎ用弁体部と上記継ぎ用弁座部及び上記Ａ側弁体と上記Ｂ側弁体に、洗浄料を供給・排出しうるように設けた供給口・排出口とを備えた洗浄路付き配管用接続装置を利用した開閉弁装置において、
上記供給口・排出口を開閉しうるように構成された上記継ぎ用弁座部と、
上記Ａ側弁体側に設けられると共に、上記継ぎ用弁座部を上記供給口・排出口の閉方向へ常時付勢しうるＡ側付勢手段と、
上記Ｂ側接続口を閉鎖する方向へ常時付勢しうるＢ側付勢手段と、
上記Ａ側弁体をＢ側配管方向へ駆動して、上記供給口・排出口を閉作動すると共に、上記Ａ側弁体を上記Ｂ側弁体に当接させ、上記Ｂ側付勢手段の付勢力に抗してＢ側弁体をＢ側配管方向へ押圧して、Ａ側配管とＢ側配管を連通させうる操作手段とを有していることを特徴とする洗浄路付き配管用接続装置を利用した開閉弁装置。
【発明の詳細な説明】
【０００１】
【発明の属する技術分野】
本発明は、流体圧力が作用する際に離脱しないように機械的機構により保持している状態において封止部（シール部）内を洗浄できるようにした洗浄路付き配管用接続装置および当該接続装置を利用した開閉弁装置に関するものである。
【０００２】
【従来の技術】
従来、この種の封止部（シール部）内を洗浄可能とした洗浄路付きの配管用接続装置としては、例えば特公平８−１１９９４号等によって次のような形式のものが開示されている。すなわち、雄管と雌管とを結合させる配管継手であって、雄管の先端に近い方に第１シール手段を、その後方に第２シール手段を設け、さらに雄管を雌管に完全に嵌挿した時に機能する溝部と当該溝部に出入するロック用ボールと押さえ用スリーブと戻し用バネ等により構成された両者の第１段固定手段および、雄管を若干抜き出した状態の時に機能する溝部と当該溝部に出入するロック用ボールと押さえ用スリーブと戻し用バネ等により構成された両者の第２段固定手段をそれぞれ設け、第１段固定手段に対して第１シール手段が働き、第２段固定手段により固持する時に前方の第１シール手段が開放されて第２シール手段が働くように構成され、且つ第１シール手段が完全開放の状態から完全閉止の状態に変わる途中または逆に完全閉止の状態から完全開放の状態に変わる途中において、処理液の流路と洗浄液の流路とが連通（開放）の状態を呈するように構成されている形式。
【０００３】
【発明が解決しようとする課題】
上記従来の技術において述べた従来形式は、第１段固定手段および第２段固定手段が、両者ともに、溝部と当該溝部に出入するロック用ボールと押さえ用スリーブと戻し用バネ等により構成され、そして、残存物による汚染、腐敗物の混入等が生じないように比較的頻繁に分解・洗浄される食品・飲料加工装置の配管に多く使用されている。
【０００４】
しかし乍ら、上記従来形式の洗浄路付き配管用接続装置は、溝部と当該溝部に出入するロック用ボールと押さえ用スリーブと戻し用バネ等により構成された第１段固定手段および第２段固定手段を有していて、このために、分解・再組立し易いこと、当該分解・再組立に対して耐久性が高いこと、作動の確実性・信頼性が高いこと、等の要望に充分に応え切れているとは言えないところがあり、また第１シール手段が完全開放の状態から完全閉止の状態に変わる途中または逆に完全閉止の状態から完全開放の状態に変わる途中において、処理液の流路と洗浄液の流路とが連通（開放）の状態を呈してしまうような構成であるので、当該連通（開放）状態中に過少ではあるが洗浄液が処理液の流路側にまたは処理液が洗浄液の流路側に流出して混合してしまうという問題があり、これを回避するために処理液の方を洗浄液よりも高圧とする液圧コントロールが必要であり、この液圧コントロール用の装置が必要にあり、またこの液圧コントロールの際には通常、洗浄液が処理液の方に混入しないようにするが、このためには処理液を洗浄液の流路側に強制的に無駄を承知で比較的多量に廃棄する必要があった等の不都合があった。
【０００５】
本考案は、上記現状に鑑み、上記要求に尚一層より充分に応えることのできるようにする工夫、上記不都合を解消する工夫およびその他の優れた工夫を施した新規の配管用接続装置を提供することを目的とするものである。
【０００６】
【課題を解決するための手段】
上記目的を達成するために本発明に係る洗浄路点き配管用接続装置は、Ａ側配管１ａ、４１ａのＡ側接続口２、４２およびＢ側配管１ｂ、４１ｂのＢ側接続口３、４３に設けたこれ等両口を気密の継ぎ状態とする継ぎ用弁体部１３、５３および継ぎ用弁座部１４、５４と、Ａ側接続口２、４２に摺動可能の状態且つ抜出不能の状態且つ気密の状態として設けた雌側管状部１１、５１と、当該雌側管状部１１、５１に気密な状態の挿入および抜出の自在な状態としてＢ側接続口３、４３部に設けた雄側管状部１２、５２と、雌・雄側管状部１１、５１、１２、５２の挿入状態時において当該雄側管状部１２、５２を継ぎ用弁座部１４、５４が着座の位置に存する状態として保持するための保持装置１８、５８と、保持装置１８，５８が保持の状態にあるときに継ぎ用弁体部１３、５３を着座した位置または離座した位置とする往復動装置と、当該往復動装置によって継ぎ用弁体部１３，５３が着座の状態にある時に継ぎ用弁体部１３，５３と継ぎ用弁座部１４，５４間の外周にスチームや無菌エアー等シール料をまた継ぎ用弁体部１３、５３が離座の状態にある時に継ぎ用弁体部１３，５３と継ぎ用弁座部１４，５４間に温水や洗剤等洗浄料を供給・排出するために設けた供給口２２、６２・排出口２３、６３と、を備えたものであり、
【０００７】
また、洗浄路付き配管用接続装置を利用した開閉弁装置は、Ａ側配管１ａ、４１ａのＡ側接続口２、４２およびＢ側配管１ｂ、４１ｂのＢ側接続口３、４３に設けた各口を開閉するＡ側弁体６、４６およびＢ側弁体７、４７と、Ａ側接続口２、４２およびＢ側接続口３、４３の口縁部に設けたこれ等両口を気密の継ぎ状態とする継ぎ用弁体部１３、５３および継ぎ用弁座部１４、５４と、Ａ側接続口２、４２に摺動可能の状態且つ抜出不能の状態且つ気密の状態として設けた雌側管状部１１、５１と、雌・雄側管状部１１、５１、１２、５２の挿入状態時において当該雄側管状部１２、５２を継ぎ用弁座部１４、５４が着座の位置に存する状態として保持するための保持装置１８、５８と、保持装置１８，５８が保持の状態にあるときに継ぎ用弁体部１３、５３を着座した位置または離座した位置とする往復動装置と、当該往復動装置によって継ぎ用弁体部１３，５３が着座の状態にある時に継ぎ用弁体部１３，５３と継ぎ用弁座部１４，５４間の外周にスチームや無菌エアー等シール料をまた継ぎ用弁体部１３、５３が離座の状態にある時に継ぎ用弁体部１３，５３と継ぎ用弁座部１４，５４間およびＡ側弁体６、４６とＢ側弁体７、４７間に温水や洗剤等洗浄料を供給・排出するために設けた供給口２２、６２・排出口２３、６３と、を備えたものである。
【０００８】
【実施例】
図１〜図３に示す本発明の第１実施例は、Ａ側配管１ａのＡ側接続口２およびＢ側配管１ｂのＢ側接続口３の口縁にＡ側弁座４およびＢ側弁座５を設けると共にＡ側接続口２およびＢ側接続口３内にＡ側弁座４およびＢ側弁座５へ各々着座・離座するＡ側弁体６およびＢ側弁体７を装入し、これ等Ａ側弁体６、Ｂ側弁体７の弁棒８、９を外に貫出してこれ等各弁棒８、９の貫出部にＡ側弁体６、Ｂ側弁体７の開閉用として機能するエアシリンダ、手動シリンダ等往復装置（図示せず）を連結する。
【０００９】
更に、Ａ側接続口２の外周に摺動可能とし且つ当該摺動部を気密の状態として雌側管状部１１を連結し、またＢ側接続口３の外周に雄側管状部１２を一体に設けて、これ等雌側管状部１１、雄側管状部１２を気密の状態で挿入・抜出自在とすると共にＡ側接続口２の口縁面とＢ側接続口３の口縁面に、雄側管状部１２を雌側管状部１１に挿入されたときに着座してＡ側接続口２とＢ側接続口３を気密な継ぎ状態とする継ぎ用弁体部１３・継ぎ用弁座部１４を設ける。
【００１０】
また、雌側管状部１１のまわりに雌・雄管状部１１、１２の挿入状態時において継ぎ用弁座部１４が着座の位置から離座する位置までのストロークで動くピストン１５が内蔵されたシリンダ１６を設けると共に当該ピストン１５によって雌側管状部１１の周面に沿って軸方向に摺動する連結用管１７を雌側管状部１１のまわりに被着し、この連結用管１７の先端部をＡ側接続口２に固定（一体化）する。
【００１１】
更に、雌側管状部１１および雄側管状部１２の側傍に、これ等雌・雄側管状部１１、１２の挿入状態時に当該雄側管状部１２を継ぎ用弁座部１４が着座の位置にある状態として保持するための保持装置１８を装備する。尚、この保持装置１８は、エアシリンダ（図示せず）により作動する係合片１９を雌側管状部１１および雄側管状部１２の上部に対設したスリット２０および係合溝２１に対して抜挿することによって行うようにしてある。
【００１２】
また、雌側管状部１１の壁面に上記継ぎ用弁座部１４と継ぎ用弁体部１３間に温水や洗剤等洗浄料もしくはスチームや無菌エアー等シール料を供給・排出する供給口２２および排出口２３を設けたものである。
【００１３】
尚、上記Ａ側配管１ａは、伸縮シリンダ２５、２６を介して取付けられたスライド部材２７に固定されていて、当該伸縮シリンダ２５、２６により昇降して雌側管状部１１と雄側管状部１２との嵌合・離脱をなすように構成され、またＢ側配管１ｂは配管架台（図示せず）に固定されている。
【００１４】
また、図中において符号３０、３１はピストン１５を作動させるためのエアの入口・出口、３２はＡ側弁体６とＡ側弁座４間を封止する第１シールリング、３３はＢ側弁体７とＢ側弁座５間を封止する第２シールリング、３４は雄側管状部１２と雌側管状部１１間を封止する第３シールリング、３５は雌側管状部１１と継ぎ用弁座部１４間を封止する第４シールリング、３６は継ぎ用弁体部１３と継ぎ用弁座部１４間を封止する第５シールリングを示す。
【００１５】
すなわち、上記第１実施例は、Ａ側配管１ａとＢ側配管１ｂを接続状態として処理液を流したり止めたりしたいときには、先ず、雌・雄側管状部１１、１２を嵌合の状態とし且つ保持装置１８を保持の状態とし更にピストン１５を上方に作動して継ぎ用弁体部１３と継ぎ用弁座部１４を着座状態としてから、Ａ側弁体６およびＢ側弁体７の開閉操作をなすことにより可能となり、
【００１６】
Ａ側配管１ａとＢ側配管１ｂの接続を切り離したいときには、Ａ側弁体６およびＢ側弁体７を完全に閉じてから、保持装置１８による保持の解消操作および雌・雄側管状部１１、１２の嵌合の解消操作をなすことにより可能となり、
【００１７】
Ａ側配管１ａとＢ側配管１ｂの接続状態においてＡ側弁体６とＢ側弁体７の間すなわち接続面間（封止部（シール部）内）を洗浄したいときには、Ａ側弁体６およびＢ側弁体７を完全に閉じた状態としてから、ピストン１５を作動して継ぎ用弁座部１４およびＡ側弁体６を下方に移動することにより継ぎ用弁座部１４の離座状態およびＡ側弁体６とＢ側弁体７の離し状態を確保し、然るのち温水や洗剤等洗浄料を供給口２２・排出口２３を介して供給・排出することにより可能になり、また継ぎ用弁体部１３が着座の状態にある時にシールしたい場合には継ぎ用弁体部１３と継ぎ用弁座部１４間の外周にスチームや無菌エアー等シール料を供給口２２・排出口２３を介して供給・排出することにより可能になるようにしたものである。
【００１８】
図４〜図６に示す本発明の第２実施例は、Ａ側配管４１ａのＡ側接続口４２に同口用口金６５を備え、このＡ側接続口用口金６５およびＢ側配管４１ｂのＢ側接続口４３の口縁にＡ側弁座４４およびＢ側弁座４５を設けると共にＡ側接続口４２およびＢ側接続口４３内にＡ側弁座４４およびＢ側弁座４５へ各々着座・離座するＡ側弁体４６およびＢ側弁体４７を装入し、これ等Ａ側弁体４６、Ｂ側弁体４７の弁棒４８，４９を外に貫出し、Ａ側弁体４６の弁棒４８の貫出部に支軸６６を支点として手動操作レバー６７を、当該手動操作レバー６７がＡ側弁体４６を開・閉方向に作動する状態としておよびＡ側弁体４６の開作動直前から継ぎ用弁体部５３と継ぎ用弁座部５４との継ぎ動作を確保する初動期をもつ状態として連結すると共にＡ側弁体４６の弁棒４８の中間部にＡ側接続口用口金６５（継ぎ用弁座部５４）を常時継ぎ用弁体部５３に向って押圧するＡ側バネ装置６８を装備し、またＢ側弁体４７の弁棒４９の外端部には同Ｂ側弁体４７に対して常時閉方向の押圧力を賦与するＢ側バネ装置６９を装備する。
【００１９】
更に、Ａ側接続口用口金６５の外周に当該口金６５が摺動可能となるようにして且つ当該摺動部を気密の状態を維持するようにして雌側管状部５１を配してこれをＡ側配管４１ａの先端に連結し、またＢ側接続口４３の外周に雄側管状部５２を一体に設けて、これ等雌側管状部５１、雄側管状部５２を気密の状態で挿入・抜出自在とすると共にＡ側接続口４２の口縁面とＢ側接続口４３の口縁面に、雄側管状部５２を雌側管状部５１に挿入されたときに着座してＡ側接続口用口金６５とＢ側接続口４３を気密な継ぎ状態とする継ぎ用弁体部５３・継ぎ用弁座部５４を設ける。
【００２０】
また、雌側管状部５１側および雄側管状部５２側に、これ等雌・雄側管状部５１、５２の挿入状態時に当該雄側管状部５２を継ぎ用弁座部５４が着座の位置にある状態として保持するための手動係止用クランプ式保持装置５８を装備する。
【００２１】
また、雌側管状部５１の壁面に上記継ぎ用弁座部５４と継ぎ用弁体部５３間に温水や洗剤等洗浄料もしくはスチームや無菌エアー等シール料を供給・排出する供給口６２および排出口６３を設けたものである。
【００２２】
また、図中において符号７２はＡ側弁体４６とＡ側弁座４４間を封止する第１シールリング、７３はＢ側弁体４７とＢ側弁座４５間を封止する第２シールリング、７４はＡ側接続口用口金６５と雌側管状部５１間を封止する第３シールリング、７５は雌側管状部５１と雄側管状部５２間を封止する第４シールリング、７６は継ぎ用弁体部５３と継ぎ用弁座部５４間を封止する第５シールリングを示す。
【００２３】
すなわち、上記第２実施例は、Ａ側配管４１ａとＢ側配管４１ｂを接続状態として処理液を流したり止めたりしたいときには、先ず、雌・雄側管状部５１、５２を嵌合の状態とし且つ保持装置５８を保持の状態とし更に手動操作レバー６７を操作して継ぎ用弁体部５３と継ぎ用弁座部５４を着座状態としてから、Ａ側弁体４６およびＢ側弁体４７の開閉操作をなすことにより可能となり、
【００２４】
Ａ側配管４１ａとＢ側配管４１ｂの接続を切り離したいときには、Ａ側弁体４６およびＢ側弁体４７を完全に閉じてから、保持装置５８による保持の解消操作および雌・雄側管状部５１、５２の嵌合の解消操作をなすことにより可能となり、
【００２５】
Ａ側配管４１ａとＢ側配管４１ｂの接続状態においてＡ側弁体４６とＢ側弁体４７の間すなわち接続面間（封止部（シール部）内）を洗浄したいときには、Ａ側弁体４６およびＢ側弁体４７を完全に閉じた状態としてから、手動操作レバー６７を操作して継ぎ用弁座部５４およびＡ側弁体４６を下方に移動することによって継ぎ用弁体部５３の離座状態およびＡ側弁体４６とＢ側弁体４７の離し状態を確保し、然るのち温水や洗剤等洗浄料を供給口６２・排出口６３を介して供給・排出することにより可能になり、また継ぎ用弁体部５３が着座の状態にある時にシールしたい場合には継ぎ用弁体部５３と継ぎ用弁座部５４間の外周にスチームや無菌エアー等シール料を供給口６２・排出口６３を介して供給・排出することにより可能となるようにしたものである。
【００２６】
すなわち、上記第２実施例に係る洗浄路付き配管用接続装置を利用した開閉弁装置は、Ａ側配管４１ａと、Ｂ側配管４１ｂとを有し、上記Ａ側配管４１ａには、上記Ｂ側配管４１ｂと接続しうる雌側管状部５１が設けられ、上記雌側管状部５１には、内方に形成されたＡ側接続口４２と、上記Ａ側接続口４２に設けられた継ぎ用弁座部５４とを有し、上記Ａ側接続口４２を開閉しうるＡ側弁体４６が設けられ、上記Ｂ側配管４１ｂには、上記雌側管状部５１と接続しうる雄側管状部５２が設けられ、上記雄側管状部５２には、内方に形成されたＢ側接続口４３と、上記Ｂ側接続口４３に設けられた継ぎ用弁体部５３とを有し、上記Ｂ側接続口４３を開閉しうるＢ側弁体４７が設けられ、上記雄側管状部５２が上記雌側管状部５１に挿入された状態において、上記継ぎ用弁体部５３と上記継ぎ用弁座部５４とが当接して着座状態を形成し、上記雄側管状部５２が上記雌側管状部５１に挿入された状態において、上記継ぎ用弁体部５３と上記継ぎ用弁座部５４とが離間して離座状態を形成し、上記着座状態の場合には、上記継ぎ用弁体部５３と上記継ぎ用弁座部５４の当接部位の外周に、スチームや無菌エアー等シール料を供給・排出すると共に、上記離座状態の場合には、上記継ぎ用弁体部５３と上記継ぎ用弁座部５４及び上記Ａ側弁体４６と上記Ｂ側弁体４７に、温水や洗剤等洗浄料を供給・排出しうるように設けた供給口６２・排出口６３とを備えた洗浄路付き配管用接続装置を利用した開閉弁装置において、上記供給口６２・排出口６３を開閉しうるように構成された上記継ぎ用弁座部５４と、上記Ａ側弁体４６側に設けられると共に、上記継ぎ用弁座部５４を上記供給口６２・排出口６３の閉方向へ常時付勢しうるＡ側バネ装置６８と、上記Ｂ側接続口４３を閉鎖する方向へ常時付勢しうるＢ側バネ装置６９と、上記Ａ側弁体４６をＢ側配管４１ｂ方向へ駆動して、上記供給口６２・排出口６３を閉作動すると共に、上記Ａ側弁体４６を上記Ｂ側弁体４７に当接させ、上記Ｂ側バネ装置６９の付勢力に抗してＢ側弁体４７をＢ側配管４１ｂ方向へ押圧して、Ａ側配管４１ａとＢ側配管４１ｂを連通させうる操作手段とを有している。
【００２７】
したがって、上記第２実施例に係る洗浄路付き配管用接続装置を利用した開閉弁装置は、
以下のように作用する。
図５に示すように、雄管状部５２が雌管状部５１に挿入された場合には、継ぎ用弁体部５３と継ぎ用弁座部５４が離間して配置され、離座状態を形成している。
Ｂ側弁体４７のＢ側配管４１ｂ方向には、Ｂ側弁体４７をＡ側配管４１ａ方向及びＢ側配管４１ｂ方向に移動させうる弁棒４９が設けられ、上記離座状態にあっては、その弁棒４９の外周面に設けられたＢ側バネ装置６９によりＡ側配管４１ａ方向に付勢されるように配置され、上記Ｂ側弁体４７の周面部に取付けられた第２シールリング７３とＢ側弁座４５が当接し、Ｂ側接続口４３がＢ側弁体４７により閉鎖された状態を形成している。
【００２８】
Ａ側弁体４６のＡ側配管４１ａ方向には、Ａ側弁体４６をＡ側配管４１ａ方向及びＢ側配管４１ｂ方向に移動させうる弁棒４８が設けられ、上記離座状態にあっては、上記弁棒４８の外周面に設けられたＡ側バネ装置６８により、上記継ぎ用弁座部５４がＢ側配管４１ｂ方向に付勢されると共に、上記Ａ側弁体４６の外周側面部に取付けられた第１シールリング７２とＡ側弁座４４が当接し、Ａ側接続口４２がＡ側弁体４６により閉鎖された状態を形成している。
【００２９】
上記離座状態にあっては、継ぎ用弁体部５３と継ぎ用弁座部５４が離間して配置されることから、供給口６２及び排出口６３は連通するが、Ａ側接続口４２がＡ側弁体４６により閉鎖され、Ｂ側接続口４３がＢ側弁体４７により閉鎖されることから、Ａ側配管４１ａ及びＢ側配管４１ｂは非連通状態にある。
【００３０】
上記Ａ側弁体４６側における上記弁棒４８の端部には、上記Ａ側弁体４６をＢ側配管４１ｂ方向に往復動させうる手動操作レバー６７が設けられている。
上記手動操作レバー６７は、先端部が上記弁棒４８に軸支されると共に、中間部が支軸６６により上記Ａ側配管４１ａから延設された延設部８１に軸支され、他端部に設けられた把持部８２を把持することにより、上記支軸６６を回動中心として回動させ、上記弁棒４８及び上記Ａ側弁体４６をＢ側配管４１ｂ方向へ進退動させうるように構成されている。
【００３１】
上記手動操作レバー６７を開方向（図中、支軸６６を支点として時計方向）に操作した場合には、Ａ側弁体４６がＢ側配管４１ｂ方向に移動し、継ぎ用弁座部５４は、上記Ａ側バネ装置６８の付勢力により、Ａ側弁体４６に当接した状態で一体的に移動し、継ぎ用弁座部５４は、継ぎ用弁体部５３に取付けられた第５シールリング７６と当接し、着座状態を形成する。
【００３２】
図６に示すように、上記着座状態から、さらに、上記手動操作レバー６７を開方向に操作した場合には、Ａ側弁体４６及び継ぎ用弁座部５４が、一体的にＢ側配管４１ｂ方向に移動しようとするが、継ぎ用弁座部５４は、第５シールリング７６と当接した状態で停止する。
一方、Ａ側弁体４６は、継ぎ用弁座部５４と離間してさらにＢ側配管４１ｂ方向に移動する。
【００３３】
そして、Ａ側弁体４６とＢ側弁体４７が当接し、Ａ側弁体４６とＢ側弁体４７が上記Ｂ側バネ装置６９の付勢力に抗して一体的にＢ側配管４１ｂ方向に移動することにより、Ｂ側弁体４７がＢ側接続口４３から離間し、Ａ側配管４１ａとＢ側配管４１ｂが連通した状態を形成する。この状態で、Ａ側配管４１ａとＢ側配管４１ｂとは供給口６２と排出口６３が継ぎ用弁座部５４により閉鎖され、気密状態により連結され、内部を液体が流通しうる状態となる。
【００３４】
図６に示す上記の状態から、上記手動操作レバー６７を閉方向（図中、支軸６６を支点として反時計方向）に操作した場合には、図５に示すように、Ａ側弁体４６は、Ａ側配管４１ａ方向に移動し、Ｂ側弁体４７は、上記Ｂ側バネ装置６９の付勢力により、Ａ側弁体４６と一体的にＡ側配管４１ａ方向に移動する。
【００３５】
Ａ側配管４１ａ方向に移動した上記Ｂ側弁体４７は、上記第２シールリング７３がＢ側弁座４５と当接した状態で停止する。
一方、Ａ側弁体４６は、Ｂ側弁体４７と離間してさらにＡ側配管４１ａ方向に移動する。
【００３６】
上記Ｂ側弁体４７と離間した上記Ａ側弁体４６は、上記Ａ側接続口４２を閉鎖する位置までＡ側配管４１ａ方向に移動し、さらに、上記手動操作レバー６７を閉方向に操作した場合には、Ａ側弁体４６がＡ側配管４１ａ方向に移動することにより、継ぎ用弁座部５４が、上記Ａ側バネ装置６８の付勢力に抗して、Ａ側弁体４６と一体的にＡ側配管４１ａ方向に移動し、離座状態を形成する。
【００３７】
【作用】
本発明に係る洗浄路付き配管用接続装置および当該接続装置を利用した開閉弁装置は、上記のような構成であるので、上記第１・第２実施例において説明したような用法を行うことによって、接続・分離を容易に行うことが可能になり且つ洗浄もシールも容易に行うことが可能になる。
【００３８】
【発明の効果】
本発明によれば、上記の通り、溝部と当該溝部に出入するロック用ボールと押さえ用スリーブと戻し用バネ等により構成された固定手段を採用しなくともよくなるものであるので、上記要望に尚一層より充分に応えることのできるものであり、たとえば分解・再組立がし易く当該分解・再組立に対して耐久性が高く作動の確実性・信頼性が高い等の利点を備えていることを要求されている食品・飲料加工装置等の提供が可能になるものであり、またＡ側弁体およびＢ側弁体が開作動・閉作動するときには常に継ぎ用弁体部１３、５３が継ぎ用弁座部１４，５４に着座している構成となっているので、当該開作動・閉作動中に、処理液の流路と洗浄液の流路とが連通（開放）の状態を呈してしまうようなことがないものであって、上記問題点、不都合を完全に解消することができるものであり、更に請求項２および５に係る洗浄路付き配管用接続装置および当該接続装置を利用した開閉弁装置は、処理液の流し中には継ぎ用弁体部と継ぎ用弁座部間の外周にスチームや無菌エアー等シール料を供給するようにしたので液漏を起し難いものである。
【図面の簡単な説明】
【図１】本発明の第１実施例を切離の状態で示す全体の断面図である。
【図２】同じく洗浄液流し時の状態で示す断面略図である。
【図３】同じく処理液流し時の状態で示す断面略図である。
【図４】本発明の第２実施例を切離の状態で示す全体の断面図である。
【図５】同じく洗浄液流し時の状態で示す断面略図である。
【図６】同じく処理液流し時の状態で示す断面略図である。
【符号の説明】
１ａ、４１ａ Ａ側配管
１ｂ、４１ｂ Ｂ側配管
２、４２ Ａ側接続口
３、４３ Ｂ側接続口
４、４４ Ａ側弁座
５、４５ Ｂ側弁座
６、４６ Ａ側弁体
７、４７ Ｂ側弁体
８、９、４８、４９ 弁棒
１１、５１ 雌側管状部
１２、５２ 雄側管状部
１３、５３ 継ぎ用弁体部
１４、５４ 継ぎ用弁座部
１５ ピストン
１６ シリンダ
１７ 連結用管
１８、５８ 保持装置
１９ 係合片
２０ スリット
２１ 係合溝
２２、６２ 供給口
２３、６３ 排出口
２５、２６ 伸縮シリンダ
２７ スライド部材
３０、３１ エアの入口・出口
３２、７２ 第１シールリング
３３、７３ 第２シールリング
３４、７４ 第３シールリング
３５、７５ 第４シールリング
３６、７６ 第５シールリング
６５ Ａ側接続口用口金
６６ 支軸
６７ 手動操作レバー
６８ Ａ側バネ装置
６９ Ｂ側バネ装置
８１ 延設部
８２ 把持部
【図１】
0003741579.tif 000002
【図２】
0003741579.tif 000003
【図３】
0003741579.tif 000004
【図４】
0003741579.tif 000005
【図５】
0003741579.tif 000006
【図６】
0003741579.tif 000007